(57)【特許請求の範囲】
【請求項１】
フィルム型の太陽電池モジュールを張付ける太陽電池モジュール張付け用枠材において、
太陽電池モジュールを張付ける枠材を形成する複数の丸棒フレーム、及び、
丸棒フレームの端部が着脱自在に接続される接続ユニットと、
太陽電池モジュールの端部を複数の接続ユニットとの間に挟み込んで太陽電池モジュールを定着する連結プレートと、
連結プレートと、丸棒フレームに対応して設けられる複数の接続ユニットとを締結する締結具と、から構成される複数の連結ブロックと、
を備えることを特徴とする太陽電池モジュール張付け用枠材。
【請求項２】
請求項１に記載の太陽電池モジュール張付け用枠材であって、接続ユニットは、締結具がねじ込まれる締結孔を有し、連結プレートは、接続ユニットの締結孔と対向する位置に締結具が挿入される挿入孔を有し、締結具により接続ユニットと連結プレートとが締め込まれることで太陽電池モジュールの端部が定着され、締結具の締め込みにより複数の接続ユニットが相互に連結されて連結ブロックとして一体となることを特徴とする太陽電池モジュール張付け用枠材。
【請求項３】
請求項１又は２に記載の太陽電池モジュール張付け用枠材であって、丸棒フレームは、直線状の中央部と、中央部とともにコの字を形成するように両端にそれぞれ接続する挿入部と、挿入部の端部にそれぞれ接続して挿入部とＬの字を形成する保持部と、から構成され、接続ユニットは、挿入溝及び保持孔とを有し、丸棒フレームの挿入部が挿入溝に挿入され保持部が保持孔に着脱自在に保持されることを特徴とする太陽電池モジュール張付け用枠材。
【請求項４】
請求項３に記載の太陽電池モジュール張付け用枠材であって、接続ユニットは、交差する方向に複数の挿入溝が設けられ、丸棒フレームが連結ブロックを相互に接続する取付け角度が複数の挿入溝により選択自在であることを特徴とする太陽電池モジュール張付け用枠材。
【請求項５】
請求項４に記載の太陽電池モジュール張付け用枠材であって、接続ユニットは、交差する方向に設けられた挿入溝に対して略４５度の方向にも挿入溝が設けられ、丸棒フレームが連結ブロックを相互に接続する取付け角度を斜め方向に設定可能であることを特徴とする太陽電池モジュール張付け用枠材。
【請求項６】
請求項１乃至５のいずれか１項に記載の太陽電池モジュール張付け用枠材であって、太陽電池モジュールを所定の角度に傾けて支持する傾斜支持棒と、傾斜支持棒の一端を丸棒フレームの任意の位置に取り付ける傾斜接続ユニットと、を備えることを特徴とする太陽電池モジュール張付け用枠材。
【請求項７】
請求項１乃至５のいずれか１項に記載の太陽電池モジュール張付け用枠材であって、所定の角度に傾けて張られた棒状部材又は線状部材と、並置された複数の太陽電池モジュールの丸棒フレームを棒状部材又は線状部材に取り付ける連結バンドと、を備えることを特徴とする太陽電池モジュール張付け用枠材。
【請求項８】
請求項６又は７に記載の太陽電池モジュール張付け用枠材であって、所定の角度は、水平面に対して略３０度の角度であることを特徴とする太陽電池モジュール張付け用枠材。
【請求項９】
請求項１乃至８のいずれか１項に記載の太陽電池モジュール張付け用枠材であって、連結ブロックには、張付けられた太陽電池モジュールを底面とした雨樋を形成する側板が取り付けられることを特徴とする太陽電池モジュール張付け用枠材。
【発明の詳細な説明】
【技術分野】
【０００１】
本発明は、太陽電池モジュール張付け用枠材に係り、特に、フィルム型の太陽電池モジュールを定着するために組立てられる太陽電池モジュール張付け用枠材に関する。
【背景技術】
【０００２】
太陽電池とは、光起電力効果を利用し、受光した光エネルギーを即時に電気に変換する電力機器をいう。この太陽電池の内部に入射した光エネルギーは、電子によって直接的に吸収され、予め設けられた電界に導かれ、電力として太陽電池の外部に出力される。そして、太陽電池を複数枚直並列接続して必要な電圧と電流を得られるようにしたシート状の製品単体は太陽電池モジュールと呼ばれる。
【０００３】
この太陽電池モジュールの材料は主にシリコンが用いられる。このシリコンは、大きく結晶シリコンとアモルファス（ａｍｏｒｐｈｏｕｓ）シリコンとに分類される。このうち、アモルファスシリコンを用いた太陽電池は、１０μｍ以下の厚みの薄膜シリコン型に分類される。これは、光吸収係数が高いため厚さが薄くとも実用化が可能となるからである。そして、結晶シリコンを用いた太陽電池と比較して高温時に出力が落ちにくいという特性を有する。さらに、極端な低照度下での効率が高いという特性を有する。一方、結晶シリコンを用いた太陽電池は、従来、光吸収係数が低いため実用的な吸収量を得るには最低２００μｍ程度のシリコン層が必要とされていたが、技術の発達によりシリコン層が数μｍ〜５０μｍといった薄膜シリコン型に分類できる太陽電池が開発されている。
【０００４】
これらの結晶シリコンやアモルファスシリコンのシリコン層の厚みを薄くしたフィルム型太陽電池モジュールが実用化されている。薄膜にしたことでフィルムのような可撓性が得られることからフィルム型太陽電池モジュールという。このフィルム型太陽電池モジュールは、重量が軽くフレキシブルであるため、曲面屋根など従来の結晶シリコンによる平板状の太陽電池パネルでは適用が難しい場所に採用されている。例えば、特許文献１には、ロールスクリーン本体の窓面上にフィルム型の太陽電池パネルを張付けたロールカーテン装置が開示されている。
【０００５】
図７にフィルム型太陽電池モジュール２００の実施例を平面図で示す。フィルム型太陽電池モジュール２００は、太陽電池セル２１０を接着剤などで内部に封止し、太陽電池セル２１０の表面及び裏面をＥＴＦＥ（エチレン・テトラ・フルオラ・エチレン）や鋼板などでサンドイッチ状に挟み込んで形成したシートである。そして、その一端には端子箱が設けられて発電された電力を取り出すことができる。このフィルム型太陽電池モジュール２００は、軽量でありコンパクトに丸めて運搬できるため、簡易な電力供給手段として注目されている。例えば、地震、台風、津波などの被災地に運搬して非常用電源として使用することができる。また、登山やハイキングなどで電気設備などのインフラが整備されていない山間部に持ち込んで携帯用電源として使用することもできる。しかし、このフィルム型太陽電池モジュール２００を被災地に運搬して非常用電源として使用する場合、或いは山間部に持ち込んで携帯用電源として使用する場合などには、長時間平面状に保持して太陽光に照射させるための張付け用の枠材が必要となる。
【０００６】
図６に、従来の太陽電池モジュール張付け用枠材１００の実施例を示す。太陽電池モジュール張付け用枠材１００は、アングル材などの形鋼からなる枠材１０３によりフレームが形成され、枠材１０３同士は平鋼である挟みプレート１０４、及び挟みボルト１０５により接合される。そして、枠材１０３には、側板取付けボルト１０７により側板１０６が取り付けられる。この太陽電池モジュール張付け用枠材１００は、太陽電池モジュール張付け幅（Ｗ）及び太陽電池モジュール張付け高さ（Ｈ）の範囲に太陽電池モジュール２が張付けられる。なお、太陽電池モジュール張付け用枠材１００は、取手１０８により運搬が可能となる。
【先行技術文献】
【特許文献】
【０００７】
【特許文献１】特開２００８−４２１４２号公報
【発明の概要】
【発明が解決しようとする課題】
【０００８】
フィルム型太陽電池モジュールを、例えば被災地や山間部で用いる際には、太陽電池モジュールを張付けるための枠材が必要となる。すなわち、太陽電池モジュールは、フレキシブルであるがゆえに形状が固定しないからである。また、太陽電池モジュールの発電効率を最大にするには、太陽電池モジュールの受光面を水平線に対して略３０度の角度に傾けるのが好ましいが、枠材なしではこの角度に設置して保持するのは難しい。
【０００９】
図７に示した従来の太陽電池モジュール用枠材の実施例では、形鋼や平鋼によりフレームを形成し、ボルト接合により組み立てるのが一般的な工法である。しかし、この工法では、部材の効率が悪いため鋼材の重量が増加して嵩張り、コンパクトな枠材とはいえない。また、枠材の重量が重く嵩張るということは、フィルム型太陽電池モジュール自体が軽量でありコンパクトに丸めて運搬できるという特徴を生かすことができないという問題がある。
【００１０】
また、例えば、被災地や山間部では、電力と共に飲料水や生活用水の確保が重要となる。雨水を収容するには貯水用の容器が別途必要となる。例えば、被災地や山間部向けの資材には多機能性が要求されるが、太陽電池モジュール張付け用枠材についても電源としてだけではなく、雨水を収容する容器として兼ねることが望ましい。
【００１１】
本願の目的は、かかる課題を解決し、コンパクトで簡易な接合方法であり、搬送、組み立て及び解体が容易で、雨水も収容できる多機能な太陽電池モジュール張付け用枠材を提供することである。
【課題を解決するための手段】
【００１２】
上記目的を達成するため、本発明に係る太陽電池モジュール張付け用枠材は、フィルム型の太陽電池モジュールを張付ける太陽電池モジュール張付け用枠材において、太陽電池モジュールを張付ける枠材を形成する複数の丸棒フレーム、及び、丸棒フレームの端部が着脱自在に接続される接続ユニットと、太陽電池モジュールの端部を複数の接続ユニットとの間に挟み込んで太陽電池モジュールを定着する連結プレートと、連結プレートと、丸棒フレームに対応して設けられる複数の接続ユニットとを締結する締結具と、から構成される複数の連結ブロックと、を備えることを特徴とする。
【００１３】
上記構成により、太陽電池モジュール張付け用枠材は、フィルム状でありフレキシブルな面材である太陽電池モジュールを枠材に定着させ、太陽光の下に設置させて太陽光発電を行わせるコンパクトで剛性が高い枠材となる。すなわち、丸棒をフレームとして用い、丸棒フレームを対応する接合部である接続ユニットに接続させる。そして、連結プレート及び締結具により、太陽電池モジュールを挟み込んで定着させると共に、複数の接続ユニット相互を強固に固定して連結ブロックを形成する。これにより、コンパクトで剛性の高い枠材を構成することができる。また、丸棒フレームと接続ユニットの着脱という簡易な接合方法により、搬送、組み立て及び解体が容易な太陽電池モジュール張付け用枠材とすることができる。
【００１４】
また、太陽電池モジュール張付け用枠材は、接続ユニットが、締結具がねじ込まれる締結孔を有し、連結プレートは、接続ユニットの締結孔と対向する位置に締結具が挿入される挿入孔を有し、締結具により接続ユニットと連結プレートとが締め込まれることで太陽電池モジュールの端部が定着され、締結具の締め込みにより複数の接続ユニットが相互に連結されて連結ブロックとして一体となることが好ましい。これにより、連結ブロックは、複数の接続ユニットを相互に連結させるための締結手段が不要となり、各接続ユニットはそれぞれ同じ形状に統一することができる。また、連結ブロックは、連結プレートと接続ユニットとを締結具により固定することで簡易な接合方法となる。
【００１５】
また、太陽電池モジュール張付け用枠材は、丸棒フレームが、直線状の中央部と、中央部とともにコの字を形成するように両端にそれぞれ接続する挿入部と、挿入部の端部にそれぞれ接続して挿入部とＬの字を形成する保持部と、から構成され、接続ユニットは、挿入溝及び保持孔とを有し、丸棒フレームの挿入部が挿入溝に挿入され保持部が保持孔に着脱自在に保持されることが好ましい。これにより、丸棒フレームの挿入部や保持部を接続ユニットの挿入溝や保持孔に着脱自在に挿入して保持することで、ボルト接合や溶接接合を用いずに簡易に接合できる。そして、この接合方法により、搬送、組み立て及び解体が容易な太陽電池モジュール張付け用枠材とすることができる。
【００１６】
また、太陽電池モジュール張付け用枠材は、接続ユニットが、交差する方向に複数の挿入溝が設けられ、丸棒フレームが連結ブロックを相互に接続する取付け角度が複数の挿入溝により選択自在であることが好ましい。これにより、丸棒フレームが連結ブロックに接続する取付け角度を変えることができ、例えば、枠材として曲げ剛性や捩り剛性を高める場合の取付け位置、或いは、丸棒フレームを運搬する際の取手として使用する取付け位置などに活用できる。
【００１７】
また、太陽電池モジュール張付け用枠材は、接続ユニットが、交差する方向に設けられた挿入溝に対して略４５度の方向にも挿入溝が設けられ、丸棒フレームが連結ブロックを相互に接続する取付け角度を斜め方向に設定可能であることが好ましい。これにより、例えば、丸棒フレームを地面に対して立て掛けるスタンドなどに活用することができる。
【００１８】
また、太陽電池モジュール張付け用枠材は、太陽電池モジュールを所定の角度に傾けて支持する傾斜支持棒と、傾斜支持棒の一端を丸棒フレームの任意の位置に取り付ける傾斜接続ユニットと、を備えることが好ましく、更に、所定の角度は、水平面に対して略３０度の角度であることが好ましい。これにより、太陽電池モジュール張付け用枠材の一部材として傾斜支持棒を加えて設置することができ、太陽電池モジュールの受光面を水平面に対して略３０度の角度に傾けることで、太陽光発電の効率を最大限に発揮させることができる。
【００１９】
また、太陽電池モジュール張付け用枠材は、所定の角度に傾けて張られた棒状部材又は線状部材と、並置された複数の太陽電池モジュールの丸棒フレームを棒状部材又は線状部材に取り付ける連結バンドと、を備えることが好ましく、更に、所定の角度は、水平面に対して略３０度の角度であることが好ましい。これにより、丸棒フレームを活用して複数の太陽電池モジュールを簡易に並置することができ、太陽電池モジュールの受光面を水平面に対して略３０度の角度に傾けることで、太陽光発電の効率を最大限に発揮させることができる。
【００２０】
さらに、太陽電池モジュール張付け用枠材は、連結ブロックには、張付けられた太陽電池モジュールを底面とした雨樋を形成する側板が取り付けられることが好ましい。これにより、太陽電池モジュール張付け用枠材を用いて、太陽光発電とともに雨水を収容することができ、例えば、被災地や山間部などの電気や水道といったインフラが整備されていない場所で活用することができる。
【発明の効果】
【００２１】
以上のように、本発明に係る太陽電池モジュール張付け用枠材によれば、コンパクトで簡易な接合方法であり、搬送、組み立て及び解体が容易で、雨水も収容できる多機能な太陽電池モジュール張付け用枠材を提供することができる。
【図面の簡単な説明】
【００２２】
【図１】本発明に係る太陽電池モジュール張付け用枠材の１つの実施形態の概略構成を示す平面図である。
【図２】図１の太陽電池モジュール張付け用枠材に傾斜支持棒が設けられた場合を示す側面図である。
【図３】丸棒フレームを示す側面図である。
【図４】連結ブロックを構成する接続ユニットを示す斜視図である。
【図５】連結ブロックと丸棒フレームとの接続関係を示す側面図及び平面図である。
【図６】フィルム型の太陽電池モジュールを示す平面図である。
【図７】従来の太陽電池モジュール張付け用枠材の実施例を示す平面図である。
【発明を実施するための形態】
【００２３】
以下に、図面を用いて本発明に係る太陽電池モジュール張付け用枠材の実施形態につき、詳細に説明する。図１に、本発明に係る太陽電池モジュール張付け用枠材１の１つの実施形態の概略構成を示す。また、図２に、図１の太陽電池モジュール張付け用枠材が、傾斜支持棒１５が設けられて略３０度に傾斜された場合の構成を側面図で示す。このように、太陽電池モジュール張付け用枠材１は、傾斜支持棒１５を用いて太陽電池モジュール２を水平面に対して略３０度の角度に傾けて支持し、太陽光発電の効率を最大限に発揮させることができる。
【００２４】
太陽電池モジュール張付け用枠材１は、太陽電池モジュール２を張付ける枠材を形成する丸棒フレーム３ａ，３ｂ，３ｃ及び連結ブロック４から構成され、連結ブロック４は、接続ユニット４ａ，４ｂ，４ｃ、連結プレート５、及び締結具１４から構成される。すなわち、丸棒フレーム３ａ，３ｂ，３ｃが枠材になり連結ブロック４の接続ユニット４ａ，４ｂ，４ｃが接合部となる。そして、連結ブロック４が丸棒フレーム３ａ，３ｂ，３ｃにより相互に連結され、図１に一部分を示す太陽電池モジュール２が枠材に張付けられる。図１に示すように、本実施形態では、丸棒フレーム３は、図中に示すＸ方向の枠材に用いる丸棒フレーム３ａと、図中に示すＹ方向の枠材に用いる丸棒フレーム３ｂ，３ｃとから構成されるが、この構成に限らず、例えば、すべての丸棒フレーム３が異なる仕様であっても良い。また、すべての丸棒フレーム３が同じ仕様であっても良い。また、図１に示すように、本実施形態では、連結ブロック４は、それぞれ同様な形状の接続ユニット４ａ，４ｂ，４ｃが２個又は３個結合されて形成されるが、この構成に限らず、例えば、接続ユニット４ａ，４ｂ，４ｃがそれぞれ異なる形状であっても良い。
【００２５】
図３に、丸棒フレーム３ａ，３ｂ，３ｃを側面により示す。図１に示す丸棒フレーム３ａと３ｂ及び３ｃとは相互に寸法が異なり、３ｂと３ｃとは、寸法は同じであるが接続ユニット４ａ，４ｂ，４ｃへの取付け角度が異なる。この丸棒フレーム３ａ，３ｂ，３ｃは中実の棒鋼である丸棒からなるが、これに限らず、例えば角棒や中空のパイプ材などでも良い。また、本実施形態では、丸棒フレーム３ａ，３ｂ，３ｃは、直径４ｍｍのステンレス製であるが、例えば亜鉛メッキ製、アルミニウム製、プラスティック製、或いは炭素繊維製などであっても良く、直径もこの径に限らない。図３に示すように、この丸棒フレーム３は、直線状の中央部６と、中央部６とともにコの字を形成するように両端にそれぞれ接続する挿入部７と、挿入部７の端部にそれぞれ接続して挿入部７とＬの字を形成する保持部８と、からなる。そして、中央部６と挿入部７とは、第１屈折点９により略直角に折れ曲り、挿入部７と保持部８とは、第２屈折点１０により略直角に折れ曲る。なお、本実施形態では、この丸棒フレーム３の中央部６、挿入部７、及び保持部８は、同一平面上にあるが、例えば、中央部６と保持部８とが異なる平面上にあっても良い。
【００２６】
図４に、連結ブロック４を構成する接続ユニット４ａ，４ｂ，４ｃを斜視図で示す。図１に示すように、本実施形態では、連結ブロック４は、複数の接続ユニット４ａ，４ｂ，４ｃが２個又は３個結合されて形成される。すなわち、連結ブロック４に接続される丸棒フレーム３ごとに接続ユニット４ａ，４ｂ，４ｃが設けられ、２個又は３個の接続ユニット４ａ，４ｂ，４ｃが連結プレート５及び締結具１４により一体化され、連結プレート５及び締結具１４と共に連結ブロック４を構成する。本実施形態では、この接続ユニット４ａ，４ｂ，４ｃは全て立方体であり、その寸法や形状は接続ユニット４ａ，４ｂ，４ｃの全てに統一される。また、各接続ユニット４ａ，４ｂ，４ｃはアルミニウム製であるが、これに限らず、例えばステンレス製などであっても良い。
【００２７】
接続ユニット４ａ，４ｂ，４ｃは、太陽電池モジュール２の取付け用の締結孔１３ａを側面に有する。また、接続ユニット４ａ，４ｂ，４ｃは、挿入溝１１ａ，１１ｂ，１１ｃ及び保持孔１２を有し、丸棒フレーム３ａ，３ｂ，３ｃの挿入部７が挿入溝１１ａ，１１ｂ，１１ｃに着脱自在に挿入される。また、丸棒フレーム３ａ，３ｂ，３ｃの保持部８が保持孔１２に着脱自在に挿入されて保持される。接続ユニット４ａ，４ｂ，４ｃは、図４に示すＸ方向にＸ方向挿入溝１１ａ，１１ｃを有し、Ｙ方向にＹ方向挿入溝１１ｂを有する。従って、丸棒フレーム３ａ，３ｂ，３ｃの挿入部７は、Ｘ方向挿入溝１１ａ，１１ｃ、及びＹ方向挿入溝１１ｂのいずれかを選択でき、この選択により、丸棒フレーム３ａ，３ｂ，３ｃの接続ユニット４ａ，４ｂ，４ｃへの取付け角度が決まる。また、接続ユニット４ａ，４ｂ，４ｃは、必要に応じて挿入溝１１ａ，１１ｂ，１１ｃに対して略４５度の方向にも斜角挿入溝２０ａ，２０ｂを有しても良い。さらに、接続ユニット４ａ，４ｂ，４ｃは、必要に応じてＺ方向挿入溝１１ｄ、及び隅角部挿入溝１１ｅを有しても良い。
【００２８】
図５に、接続ユニット４ａ，４ｂ，４ｃと丸棒フレーム３ａ，３ｂ，３ｃとの接続関係を示す。図５（ａ）は、接続する接続ユニット４と丸棒フレーム３との側面を示し、図５（ｂ）は、図５（ａ）のＡ−Ａ方向からみた平面を示す。この連結ブロック４は、３個の接続ユニット４ａ，４ｂ，４ｃが組み合わされ、連結プレート５、及び締結具１４により一体化される。この連結プレート５は、太陽電池モジュール２の端部を接続ユニット４ａ，４ｂ，４ｃとの間に挟み込んで太陽電池モジュール２を固定する。すなわち、接続ユニット４ａ，４ｂ，４ｃは、締結具１４がねじ込まれる締結孔１３ａを有する。そして、連結プレート５は、接続ユニット４ａ，４ｂ，４ｃの締結孔１３ａと対向する位置に挿入孔１３ｂを有し、締結具１４により接続ユニット４ａ，４ｂ，４ｃと連結プレート５とを締め込むことで太陽電池モジュール２の端部が定着される。
【００２９】
このように、複数の接続ユニット４ａ，４ｂ，４ｃ及び連結プレート５は、太陽電池モジュール２の端部を挟み込んで固定するが、さらに、並置された複数の接続ユニット４ａ，４ｂ，４ｃは、複数の接続ユニット４ａ，４ｂ，４ｃに対向する連結プレート５により固定される。つまり、１箇所の連結ブロック４に接続される丸棒フレーム３の数量と同数の接続ユニット４ａ，４ｂ，４ｃが連結プレート５と締結具１４とによって一体化される。これにより、接続ユニット４ａ，４ｂ，４ｃは、相互に連結するための締結手段が不要となり、各接続ユニット４ａ，４ｂ，４ｃは、丸棒フレーム３との簡易な接合により、それぞれ全く同じ形状に統一することができる。
【００３０】
図５（ａ），（ｂ）に、丸棒フレーム３ｂ及び３ｃの接続ユニット４ａ，４ｂ，４ｃへの取付けディテールを示す。図１、及び図２に示す丸棒フレーム３ｂ及び３ｃは、同一の部材であるが、接続ユニット４ａ，４ｂ，４ｃへの取付け角度が異なる。すなわち、図１の平面図では、丸棒フレーム３ｂは直線型となり、丸棒フレーム３ｃはコの字型となる。図２の側面図では、丸棒フレーム３ｂはコの字型となり、丸棒フレーム３ｃは直線型となる。  
【００３１】
丸棒フレーム３ｂについて説明する。丸棒フレーム３ｂの保持部８は、接続ユニット４ａの保持孔１２に挿入されて保持される。また、丸棒フレーム３ｂの挿入部７は、Ｙ方向挿入溝１１ｂに挿入される。そして、丸棒フレーム３ｂの中央部６は、接続ユニット４ａの外部にあり、丸棒フレーム３ｂは図２に示すように下方にコの字を形成する。次に、丸棒フレーム３ｂについて説明する。丸棒フレーム３ｃの保持部８は、接続ユニット４ｃの保持孔１２に挿入されて保持される。また、丸棒フレーム３ｃの挿入部７は、Ｘ方向挿入溝１１ａ又は１１ｃに挿入される。そして、丸棒フレーム３ｃの中央部６は接続ユニット４ｃの外部にあり、丸棒フレーム３ｃは図１に示すように側方にコの字を形成する。さらに、丸棒フレーム３ａについて説明する。丸棒フレーム３ａの保持部８は、接続ユニット４ｂの保持孔１２に挿入されて保持される。丸棒フレーム３ａの挿入部７はＹ方向挿入溝１１ｂに挿入される。そして、中央部６は接続ユニット４ｂの外部にあり、丸棒フレーム３ａは図２のように下方にコの字を形成する。
【００３２】
図２の下方に示す丸棒ユニット３ａは、接続ユニット４ｂ同士を接続する。この丸棒ユニット３ａの挿入部７を図４に示す斜角挿入溝２０ａ，２０ｂに挿入することで太陽電池モジュール２と略４５度の角度を保持することができ、地面などの支持面に対して斜めに踏張る支持棒の役割が果たせる。また、図１に示すように、丸棒フレーム３ａを隅角部挿入溝１１ｅやＺ方向挿入溝１１ｄを活用して破線で示す丸棒フレーム３ａ´のように設置し、丸棒フレーム３ｃと連結バンドにより固定しても良い。これにより、丸棒フレーム３ａ´及び丸棒フレーム３ｃが連結され、太陽電池モジュール張付け用枠材１の面内剛性が向上する。さらに、２本の丸棒ユニット３ｂに板状のデッキを渡し、例えば、リチウムイオンバッテリーなどの太陽電池モジュール２の関連品や付属品を収納することができる。
【００３３】
図２に示すように、太陽電池モジュール張付け用枠材１は、太陽電池モジュール２を水平面に対して所定の角度に傾けて支持する傾斜支持棒１５と、傾斜支持棒１５の一端を丸棒フレーム３の任意の位置に取り付ける傾斜接続ユニット１９とを備えても良い。これにより、太陽電池モジュール張付け用枠材１の一部材として傾斜支持棒１５を加え、太陽電池モジュール２の受光面を水平面に対して所定の角度に傾けることで、太陽光発電の効率を上げることができる。また、傾斜支持棒１５の下端部に角度調整ネジを設け、ねじの回転により端部で傾斜支持棒１５の長さを調節し、傾斜角度を調節しても良い。上述した所定の角度は、水平面に対して略３０度の場合に最も効率的であるといわれている。
【００３４】
また、太陽電池モジュール２を水平面に対して所定の角度に傾けて支持する方策として、水平面に対して所定の角度に傾けて張られた棒状部材又は線状部材に、並置された複数の太陽電池モジュール２の丸棒フレーム３ａ，３ｂ，３ｃを連結バンドにより取り付ける方策がある。これにより、丸棒フレーム３ａ，３ｂ，３ｃを活用して複数の太陽電池モジュール２を簡易に並置することができる。この場合も上述した所定の角度は、水平面に対して略３０度の場合に最も効率的であるといわれている。
【００３５】
図２に示すように、連結ブロック４には、張付けられた太陽電池モジュール２を底面とした雨樋１８を形成する側板１６が取り付けられる。これにより、太陽電池モジュール張付け用枠材１を用いて、太陽光発電とともに雨水を収容することができ、例えば、被災地や山間部などの電気や水道といったインフラが整備されていない場所で活用することができる。
【符号の説明】
【００３６】
１，１００  太陽電池モジュール張付け用枠材、２，１０２  太陽電池モジュール、３，３ａ，３ｂ，３ｃ，３ａ´  丸棒フレーム、４  連結ブロック、４ａ，４ｂ，４ｃ  接続ユニット、５  連結プレート、６  中央部、７  挿入部、８  保持部、９  第１屈折点、１０  第２屈折点、１１  挿入溝、１１ａ，１１ｃ  Ｘ方向挿入溝、１１ｂ  Ｙ方向挿入溝、１１ｄ  Ｚ方向挿入溝、１１ｅ  隅角部挿入溝、１２  保持孔、１３ａ  締結孔、１３ｂ  挿入孔、１４  締結具、１５  傾斜支持棒、１６  側板、１７  角度調整ネジ、１８  雨樋、１９  傾斜接続ユニット、２０ａ，２０ｂ  斜角挿入溝、２１  クランプ、１０３  枠板、１０４  挟みプレート、１０５  挟みボルト、１０６  側板、１０７  側板取付けボルト、１０８  取手、２００  フィルム型太陽電池モジュール、２１０  太陽電池セル、２２０  端子箱、Ｗ  太陽電池モジュール張付け幅、Ｈ  太陽電池モジュール張付け高さ。
【図１】
0005782608.tif 000002
【図２】
0005782608.tif 000003
【図３】
0005782608.tif 000004
【図４】
0005782608.tif 000005
【図５】
0005782608.tif 000006
【図６】
0005782608.tif 000007
【図７】
0005782608.tif 000008